(57)【要約】  出口（１２）へ接続されるシングルチューブカニューレを介してユーザへ酸素を供給するための空気圧式酸素節約装置。気体の入口（１）へ接続される主制御バルブ（２）は、主制御ボリューム（１４）内の圧力により、吸入開始時に気体パルスを送るべく開放されるように制御される。吸入は、出力管路（１１）内の陰圧により検出され、これが出バルブ（２１）を開放し、よって該ボリュームを通気管路（２２）を介して大気へ通気させる。ボリューム内の圧力降下により、主制御バルブが開放され、ユーザへ気体パルスを供給する。これは出力管路をも加圧し、これにより検出バルブが閉止し、さらなる通気が防止される。ボリュームからの通気管路には検出遅延バルブ（３５）が組み込まれ、最初のパルスが送出されてからユーザが吸入を終えるまでボリュームの通気を防止する。該バルブは、検出遅延ボリューム（３２）から制御される。
2008531164.tif 000002
【特許請求の範囲】
【請求項１】
ユーザ供給管路において呼吸用気体の供給を受け入れるための入口とユーザに接続するための出口との間に接続される主制御バルブと、前記主制御バルブの開閉を制御するための主バルブタイマ手段と、ユーザによる吸入を検出すると前記主制御バルブを開放し、予め定めた持続時間にわたる気体パルスを前記出口へ送るよう前記主バルブタイマ手段をトリガするための検出手段とを備えた呼吸用気体のための空気圧式節約装置（ｃｏｎｓｅｒｖｉｎｇ  ｄｅｖｉｃｅ）であって、前記検出手段の動作を抑止するための手段と、前記検出手段の動作を前記気体パルスの前記出口への送出に続く予め定めた時間にわたって抑止するよう前記抑止する手段を制御するための遅延タイマ手段とを特徴とする空気圧式節約装置。
【請求項２】
前記遅延タイマ手段が、検出遅延ボリュームと、前記ボリュームを加圧するための手段と、前記ボリュームを通気するための手段とを備える、請求項１記載の節約装置。
【請求項３】
前記加圧する手段が、前記検出遅延ボリューム内へのフローを許容するが、逆方向へは許容しない一方向バルブを含む、請求項２記載の節約装置。
【請求項４】
前記検出遅延ボリュームをユーザ供給管路から加圧するために、前記加圧する手段が前記主制御バルブの下流側の一点でユーザ供給管路へ接続される、請求項２または３のいずれか一項に記載の節約装置。
【請求項５】
前記主制御バルブの下流側でユーザ供給管路へ接続される流量計測バルブをさらに含み、前記加圧する手段が前記主制御バルブと前記流量計測バルブとの間の一点でユーザ供給管路へ接続される、請求項４記載の節約装置。
【請求項６】
前記遅延タイマ手段が内部に可動部材を有する円筒を備え、前記検出遅延ボリュームが前記円筒内の前記可動部材の片側に画定されるチャンバである、請求項２〜５のいずれか一項に記載の節約装置。
【請求項７】
前記円筒が、前記可動部材を前記検出遅延ボリュームの容量を減少させる方向に偏倚するための偏倚手段を含む、請求項６記載の節約装置。
【請求項８】
前記可動部材がダイアフラムの形をとる、請求項６または７のいずれか一項に記載の節約装置。
【請求項９】
前記可動部材がピストンの形をとる、請求項６または７のいずれか一項に記載の節約装置。
【請求項１０】
前記通気する手段が、気体の通過を抑制して前記検出遅延ボリュームの通気を遅らせる流量制限器を含む、請求項２〜９のいずれか一項に記載の節約装置。
【請求項１１】
前記通気する手段が、前記ボリュームを大気へ通気するための通気管路を含む、請求項２〜１０のいずれか一項に記載の節約装置。
【請求項１２】
前記通気する手段が、前記ボリュームを前記主制御バルブ下流のユーザ供給管路へ通気するための通気管路を含む、請求項２〜１０のいずれか一項に記載の節約装置。
【請求項１３】
前記検出する手段が検出バルブを含み、前記バルブタイマ手段が、主制御ボリュームと、前記主制御ボリューム内の圧力レベルにしたがって前記主制御バルブを開閉するための手段とを備え、前記検出バルブが、前記検出する手段がユーザによる吸入を検出すると前記主制御バルブを開放してユーザへ気体を供給するために前記ボリューム内の圧力を急速に変化させるような方法で前記主制御ボリュームへ接続される、請求項２〜１２のいずれか一項に記載の節約装置。
【請求項１４】
前記検出遅延ボリュームを加圧するための手段が、ユーザによる吸入の検出に続いて前記主制御バルブが開放された後にのみ前記ボリュームを加圧する類のものである、請求項１３記載の節約装置。
【請求項１５】
前記抑止する手段が、検出遅延バルブと、前記検出遅延ボリューム内の圧力が予め定めた第１のレベルを超えて上昇すると前記バルブを閉じ、また前記検出遅延ボリューム内の圧力が予め定めた第２のレベルより下に低下すると前記バルブを開放するための制御手段とを備える、請求項１３または１４のいずれか一項に記載の節約装置。
【請求項１６】
前記制御手段が、その移動に伴って前記検出遅延バルブを開閉するように配置された可動部材を備える、請求項１５及び請求項６〜９のいずれか一項に記載の節約装置。
【請求項１７】
前記検出する手段がさらに、検出ボリュームと、ユーザによる吸入に起因する陰圧を受けるよう前記検出ボリュームを接続するための手段と、前記検出ボリューム内の圧力が陰圧となりユーザによる吸入が示されると前記検出バルブを開放するための制御手段とを含む、請求項１５または１６のいずれか一項に記載の節約装置。
【請求項１８】
前記接続する手段が前記検出ボリュームをユーザ供給管路へ接続する管路を備える、請求項１７記載の節約装置。
【請求項１９】
ダブルチューブカニューレへ接続するための装置であって、前記接続する手段が前記検出ボリュームを前記ダブルチューブカニューレの一方のチューブへ接続するための手段を備え、出口がダブルチューブカニューレのもう一方のチューブへ接続される、請求項１７記載の節約装置。
【請求項２０】
前記検出遅延バルブが、閉止時には前記検出バルブを隔離し、前記主制御ボリューム内の圧力変化を防止するように前記主制御ボリュームと前記検出バルブとの間へ接続される、請求項１５〜１９のいずれか一項に記載の節約装置。
【請求項２１】
前記検出遅延バルブが、閉止時には前記検出バルブによるユーザ供給管路内の圧力の検出を防止するように、ユーザ供給管路と前記検出ボリュームとの間へ接続される、請求項１７〜１９のいずれか一項に記載の節約装置。
【請求項２２】
前記抑止する手段が、前記検出遅延ボリューム内の圧力にしたがって前記検出バルブの動作を防止する第１の位置と前記検出バルブの動作を防止しない第２の位置との間を移動可能な抑止部材を備える、請求項１３または１４のいずれか一項に記載の節約装置。
【請求項２３】
前記抑止部材が前記可動部材に連結され、前記検出遅延ボリューム内の圧力変化に伴って前記可動部材が移動し、前記抑止部材をその第１の位置から第２の位置へ、またこの逆に移動させる、請求項２１及び請求項６〜９のいずれか一項に記載の節約装置。
【発明の詳細な説明】
【技術分野】
【０００１】
本発明は、主として酸素である呼吸用気体の空気圧式節約装置に関する。
【背景技術】
【０００２】
酸素療法は、空気中の酸素を補うために、様々な応用分野で使用されている。例には、以下が含まれる。
（ｉ）肺機能障害、例えば慢性閉塞性肺疾患（ＣＯＰＤ）、肺気腫、喘息の患者用。
（ｉｉ）人が耐えられないほど酸素分圧の低い高所用。例えば、航空機内の酸素マスク、または高地登山で使用される装置。
（ｉｉｉ）酸素量の追加が患者に対して治療効果を有する一般的な酸素療法用。
（ｉｖ）患者が吸入可能な量のみ薬を送達することに利点があるネブライザとの併用。
【０００３】
酸素療法用の従来の装置では、典型的には、流量計または固定オリフィスを通る気体を計量することにより、一定流量を供給する。酸素は、典型的には、レギュレータの出口に接続する管である鼻カニューレを介して患者の鼻孔へ、または口と鼻を覆うマスクへ送られる。
【０００４】
酸素節約装置は、酸素の浪費を避けることにより、従来の酸素療法装置を改良しようとするものである。理想的な酸素節約装置は、吸入の開始時に約０．５秒間酸素を送ると、次の吸入が開始するまでそれ以上の酸素を送らない。これにより、肺胞にまで深く届く酸素のみが消費され、そうでなければ（呼気の間に送られるか、または単に気道及び気管へ入るだけで吐き出され、吸収されずに）無駄になり呼気と共に失われる酸素が節約される。
【０００５】
このようにして酸素を節約することの利点は周知であり、酸素ボンベまたは他の供給源を約３倍長く持たせること、及び酸素療法に依存する人の移動範囲を拡大することが含まれる。また、ガス会社が送らなければならないボンベの数も減らすことができる。また、一定流量の装置と比較して、鼻腔組織が乾燥しにくいといった潜在的な治療上の有用性も存在する。
【０００６】
多くの電子制御式酸素節約装置が市販されているが、それらは、バッテリを使用すること、温度範囲が限定されること、及び、かさばるために設計上単一のユニットとして圧力レギュレータに組み込むことが困難な傾向にあり、結果としてレギュレータと節約装置との間に加圧管を要する独立したユニットとなること、という欠点を有する。
【０００７】
節約装置の設計において克服すべき基本的な問題は、典型的な治療流量に対するカニューレの抵抗がおよそ１００，０００パスカルであるのに対し、吸入時の鼻における圧力降下が典型的には５０パスカルであることによる。これは、一般的なシングルチューブカニューレを使用する場合、一旦フローが開始されると、鼻における圧力は小さすぎて前記装置では検出できないことを意味する。また、前記装置内の、吸入の開始を検出するために必要な約１０〜２０パスカルの圧力を読み取ることのできるトランスデューサが、フローの間の圧力により損傷されることも意味する。
【０００８】
この制限を克服する一般的な方法は、フローをユーザへ送るチューブと、ユーザの鼻における圧力を節約装置の検出ポイントへ伝達する別のチューブ、すなわちダブルチューブカニューレを利用するものである。しかしながら、ダブルチューブカニューレは、シングルチューブ型よりも入手が困難であり、接続部を１つではなく２つ作る必要があり、製造費用も高い、という理由であまり使用されていない。また、ユーザが特定のカニューレに制限され、自らに最も快適なカニューレを使用することができないことも意味する。
【０００９】
空気圧式酸素節約装置は、市場に多数存在する。例えば米国特許第５，３６０，０００号に記載されている最も簡単なタイプのものは、デジタルデマンドバルブのように動作し、吸入の間は一定流量を供給し、呼気の間はスイッチがオフとなる。これらの装置には、呼吸開始後に送られる気体が気道内で無駄になり、肺胞へ到達しないという欠点がある。
【００１０】
添付の図面のうち図１は、公知のシングルチューブカニューレ装置の一般的特徴を組み合わせた空気圧式酸素節約装置を示す。図１は、特定の既知の装置を詳細に示すことを目的とするものではなく、既知の装置の主要な特徴を、本発明に関連するという理由で表すためのものであることに留意されたい。
【００１１】
この装置は、酸素の供給を入口１にて受け入れる。典型的な既知の装置は、例えば医療パイプラインシステムまたはレギュレータの出力から、あるいは医療用レギュレータの出力から、国または用途により典型的には１〜５バールの圧力で得られる供給圧力により作動する。これらはまた、典型的には１．５バールの圧力に調整される液体酸素供給システムにより直接作動する場合もある。
【００１２】
この装置は、ボンベからの気体を使用してこれを節約装置の動作圧力まで低下させる高圧レギュレータに組み込まれてもよい。
【００１３】
入口１から入る気体は、入力管路１０を経て制御バルブ２を通り、かつ出力管路１１を経てシングルチューブカニューレ（図示せず）へ接続される出口１２へ至る。制御バルブは、制御管路１３で示されるように、主制御ボリューム１４内の圧力レベルにより制御される。主制御ボリューム内の圧力が高い（供給圧レベルに近い）と、フローはオフとなり、主制御ボリューム内の圧力が低いと、フローはオンになる。
【００１４】
主制御ボリュームは、入力管路１０からフロー管路１５により加圧され、このフロー管路１５には流量制限器１６が設けられている。制限器１６を通るフローは、「オンフロー」状態から「オフフロー」状態となるまでの主制御ボリューム１４内の圧力増加時間が、フローが必要とされる時間、すなわち呼吸開始から理想的な1回量の酸素が送られるまでの時間となるよう調節される。
【００１５】
出力管路１１には、可変制限器（流量調節器）１７が取り付けられ、管路１１はそれぞれ制限器の上流及び下流の２つのセクション１１ａ及び１１ｂに分割される。制限器１７は、入力管路１０に取り付けてもよい。制限器１７の目的は、「オンフロー」状態の間に供給される流量を測定することにある。
【００１６】
この装置は、検出管路１９を経て出力管路１１ｂへ接続された検出ボリューム１８において陰圧を検出することによりトリガされる。検出ボリューム１８内の圧力レベルは、制御管路２０が示すように、例えばダイアフラム形式の検出バルブ２１を制御し、主制御ボリューム１４から通気管路２２を経て、通常は図に示す通り大気中へ空気を放出させる。主制御ボリューム内の圧力が十分なレベルまで低下すると、制御バルブ２が開き、患者へのフローが開始される。制御バルブが開くと直ちに検出ボリューム１８内の圧力が上昇し、これにより検出バルブ２１が閉じ、主制御ボリューム１４の通気が停止する。この瞬間から、主制御ボリューム１４内の圧力は、主制御ボリューム１４内の圧力レベルが制御バルブ２を閉じて出口１２へのフローを遮断するに足るレベルに達するまで、フロー管路１５及び制限器１６を介し入力管路１０からの供給を受けて上昇する。
【００１７】
現時点での基本的な問題は、フロー停止の結果、出力管路１１ｂ内に、検出バルブ２１の閉止状態を維持し得るほどの高い圧力が存在しないことにある。したがって、もしこの瞬間に患者がまだ吸入中であれば、検出バルブが再び開いて主制御ボリューム１４が通気し、よって制御バルブ２が再度開いてもう一度酸素パルスが送られる。先に論じたように、この第２の酸素パルスは不必要であり、ほとんどが無駄になるものと思われる。
【００１８】
これらは、先行技術において認識されている難点であり、克服のための様々な方法が記載されてきた。例えば、欧州特許第１，０２８，７７０号では、気体入口の直後に流量調節器を備え、これと主制御バルブとの間に貯蔵ボリュームが備えられる。制御バルブの流量は必要な流量より少なく設定され、該ボリューム内の圧力は呼気の間に上昇し、吸入開始時に送出される。したがって、後続パルスで送出され無駄になる気体の量は、貯蔵ボリュームのない場合よりも少ない。しかしながら、第２のパルス及びそれ以降のパルスが相当量の気体を含むことから、なおかなりの浪費がある。
【００１９】
米国特許第６，４８４，７２１号では、同じ吸入周期の間に第２のパルスが発生することを防止するために、最初のパルスの後、気体フローのテール部を利用する。しかしながら、効果を得るためには、無意味でない量の気体を使用する必要があり、これは無駄になる。フローのテール部の終端は不定であり、よって検出が完全にオンまたはオフとなる明確な終点は不明であって、患者の呼吸レベルに依存する。
【発明の開示】
【発明が解決しようとする課題】
【００２０】
本発明の目的は、呼吸用気体の空気圧式節約装置を提供することにあり、本装置は、カニューレへ接続するための出口を有し、吸入の開始時に気体パルスを供給し、次の吸入の開始時までそれ以上の気体を供給しないよう動作し得る。
【課題を解決するための手段】
【００２１】
本発明によれば、呼吸用気体のための空気圧式節約装置が提供され、該装置は、ユーザ供給管路において呼吸用気体の供給を受け入れるための入口とユーザに接続するための出口との間に接続される主制御バルブと、該主制御バルブの開閉を制御するための主バルブタイマ手段と、ユーザによる吸入を検出すると該主制御バルブを開放し、かつ予め決められた持続時間にわたって気体パルスを出口へ送るよう主バルブタイマ手段をトリガするための検出手段とを備え、該装置は、該検出手段の動作を抑止するための手段と、前記検出手段の動作を気体パルスの出口への送出に続く予め決められた時間にわたって抑止するよう該抑止手段を制御するための遅延タイマ手段とを特徴とする。
【００２２】
したがって、気体パルスが出口へ、よって患者へ送出されると、検出手段の動作は抑止され、主制御バルブを再び動作させて別のパルスを供給することはできなくなる。一般的に、主バルブタイマ手段は、主制御バルブを典型的には約０．５秒間開放しておく類のものであり、これは、普通の環境においてユーザに十分な気体を供給する時間として知られている。しかしながら、この時間は、用途に応じて適宜変更できる。気体パルスの送出に続いて、検出手段は、それ以上の気体フローを防止すべく前期予め定めた時間にわたって抑止される。この予め定めた時間は、異なった様々な時間に開始及び終了するよう設定されてもよいが、少なくとも、気体パルスの終了に続く予想されるユーザによる吸入の部分は包含されるべきである。好適な実施形態では、予め定めた時間は、パルスの終了時に開始し、気体パルスを送出させることとなった吸入時間終了後のある時間に、ただし次の吸入時間の開始以前、言い換えれば呼気の間のある時間に終了する。予め定めた時間がユーザへ送出される気体パルスを止めるために主制御バルブが閉じる時間に開始する場合、この予め定めた時間は、典型的には約１．５秒になると思われる。
【００２３】
好適な実施形態では、出口は、気体をユーザへ送るシングルチューブカニューレへ接続される。検出手段は、ユーザによる吸入を検出するために、図１に示すような方法で主制御バルブの下流側でユーザ供給管路へ接続される。しかしながら、ダブルチューブカニューレが使用されることもあり、この場合、出口は該チューブの一方へ接続され、検出手段は、ユーザによる吸入を検出するために、もう一方のチューブへ接続される。本明細書全体を通じ、便宜上、前記第１の（好適な）オプションを想定する。
【００２４】
検出手段の動作を抑止する手段は、検出手段に対して様々な異なる方法で作用し得る。これらの方法のうちの幾つかにおいては、検出手段は吸入の検出を継続することを許容されるが、その出力が主制御バルブのタイマ手段に作用することは抑止される。また別の方法では、検出手段の出力は抑止されないが、検出手段の動作自体が、吸入の検出を抑止することにより、または検出手段の動作を物理的に抑止することにより、抑止される。
【００２５】
したがって、第１の実施形態では、ユーザによる吸入を検出した時点で主バルブタイマ手段のトリガを有効化するために、検出手段と主バルブタイマ手段との間に接続部が設けられる。抑止手段は、この接続を遮断するための手段を備え、この遮断手段は、予め定めた時間中は主バルブタイマ手段をトリガしないよう、遅延タイマ手段により制御される。
【００２６】
第２の実施形態では、検出手段は、抑止手段の一部を形成する検出遅延バルブを介して吸入による陰圧を検出するためにユーザ供給管路へ接続され、遅延タイマ手段は予め定めた時間に渡って閉止状態に留まるよう検出遅延バルブを制御し、これにより検出手段の動作を抑止する。好適には、検出手段はさらに、ユーザ供給管路へ接続される検出ボリュームと、前記検出ボリューム内が陰圧になる（ユーザが吸入中であることを示す）と検出バルブを開放するための制御手段とを含み、検出遅延バルブは、検出遅延バルブが閉じると検出バルブによるユーザ供給管路内の圧力の検出を抑止するよう、ユーザ供給管路と検出ボリュームとの間に接続される。
【００２７】
第３の実施形態では、検出手段は、吸入による陰圧を検出するためにユーザ供給管路へ接続され、陰圧に応答して動作するピストンまたはダイアフラム等の可動部材を含む。抑止手段は、予め定めた時間中は可動部材の動作を抑止または制限するための抑止部材を含む。検出手段は、例えば、吸入圧力を検出するためのピストンまたはダイアフラムを有する検出バルブを備えてもよく、前記ピストンまたはダイアフラムは、前記バルブを開閉すべく弁座に作用するバルブ部材へ機械的に接続される。この場合、ピストン／ダイアフラムまたはバルブ部材のいずれかが前述の可動部材を備えてもよく、抑止部材は、検出バルブの動作を抑止する第１の位置と、検出バルブの動作を抑止しない第２の位置との間を移動可能である。したがって、予め定めた時間中、抑止部材はその第１の位置にあるように配置され、これにより検出手段の動作を抑止する。
【００２８】
主バルブタイマ手段及び遅延タイマ手段の一方または両方が閉じたボリュームを備えてもよく、該閉じたボリュームは、該ボリュームを加圧するための加圧手段と、通気するための通気手段とを有する。いずれの場合も、該ボリュームはさらに、ボリューム内の圧力レベルに伴って移動しかつこれにより主制御バルブ（主バルブタイマ手段の場合）または抑止手段（遅延タイマ手段の場合）のいずれかを制御するように作用するピストンまたはダイアフラム等の可動部材を備える。タイマ機能は、加圧手段もしくは通気手段のいずれか、または両方に流量制限器を組み込むことにより達成される。
【００２９】
好適な実施形態では、主バルブタイマ手段のタイマ機能は、前記ボリュームへの圧力供給装置内に流量制限器を取り付けること、及び自由な通気を可能にすることにより実現される。これにより、前記ボリュームは、好適には前記供給装置から、送出パルスの時間にほぼ相当する制御された時間にわたって比較的ゆっくりと加圧されるが、比較的迅速に通気される。したがって、検出手段による通気手段の制御は、（当然ながら、上述したように、検出手段の動作は抑止されないという条件で）検出手段による吸入の検出時において送出パルスの開始をトリガするために使用することも可能である。
【００３０】
好適な実施形態では、遅延タイマ手段のタイマ機能は、流量制限器を通気手段内に取り付け、しかも前記ボリュームを加圧するための、該ボリューム内への気体の自由なフローを許容することにより実現される。局部的条件として、該ボリュームへの供給圧力が降下した場合にボリュームからの通気が供給装置へ逆流することを防止するために、該ボリュームが一方向バルブを介して加圧されることを必要とする場合もある。この配置により、該ボリュームは、パルス送出中に主制御バルブの出力により迅速に加圧され得る。送出パルスが終了すると、該ボリューム内の圧力レベルは、通気手段内の制限器に起因して、予め定めた時間にほぼ相当する時間にわたってゆっくりと解放される。この時間中、該ボリューム内の可動部材は、上述したように、抑止手段を制御して検出手段の動作を抑止する。該ボリューム内の圧力レベルが低下すると、最終的に可動部材に起因して抑止手段は検出手段の動作を再び許容し、これは、次の吸入期間の開始に先行するように時間設定され、よって、次の吸入期間の始まりは検出手段により通常の方法で検出できる。
【００３１】
本発明の好適な実施形態では、検出手段は、主制御バルブを制御するボリューム（以後、主ボリュームと呼ぶ）の手段内に接続される検出バルブを備える。検出バルブは、開放されると、主ボリュームが比較的迅速に通気されるようにして接続される。正常な動作シーケンスでは、主ボリュームは、制限器を介して供給装置へ接続されることによって供給圧力に維持される。検出バルブは、ユーザによる吸入の開始を検出すると、直ちにその通常の閉位置から開位置へ切り替わり、主ボリュームを急速に通気させる。該ボリューム内の圧力レベルは、予め決められたいくらかの圧力、典型的には供給圧力の約１０％の圧力において主バルブが開くまで低下し、これによりユーザへ送るための気体パルスが開始される。先行技術の装置と同様、陰圧のないこと、または出口接続部の加圧により検出バルブが閉止し、よって主ボリュームのさらなる通気が防止される。該ボリュームは、このようにして、制限器を介して供給装置からの充填を再開し、次の吸入／呼気サイクル開始の準備をする。主ボリューム内の圧力が予め定めたレベルに達すると、主制御バルブが閉じ、その吸入／呼気サイクルの終了まで閉止状態を保つ。
【００３２】
次に、本発明をより良く理解するために、添付の図面を参照して、本発明の幾つかの実施形態を単なる例示として説明する。
【００３３】
諸図を通じて、適切である場合は同じ参照番号を使用している。また、以下の説明において、バルブ動作をトリガするポイントとして供給圧力の１０％及び９０％という値を挙げている点に留意されたい。しかしながら、これらは例として記されている単なる典型値であり、実際には、１０％は単にゼロ（大気圧）をわずかに上回る圧力であることを略記するものであり、９０％は供給圧力をわずかに下回る圧力であることを表す。実際の値は状況に依存し、かつ具体的には、バルブの要素の設計に依存する。
【００３４】
図２に示す酸素節約装置の基本的構成要素は、図１を参照して既に説明したものと同様に動作する。流量制限器１６は、主制御ボリューム１４が、主制御バルブ２が開放されるべき所望による持続時間、言い換えればパルスの持続時間において供給圧力の１０％から９０％まで充填されるように調整される。バルブ自体は通常は閉じていて、主制御ボリューム内の圧力が供給圧力の１０％を超えていれば閉じたままである。バルブは、主制御ボリューム１４内の圧力が供給圧力の９０％を超えて上昇すると閉じ、主制御ボリューム内の圧力が供給圧力の１０％未満に低下すると開くように設定される。同様に、検出バルブ２１も通常は閉じていて、出力管路１１のセクション１１ｂにおける圧力がゼロ以上であれば閉じたままである。しかしながら、管路１１ｂ、したがって検出ボリューム１８内の圧力が、ユーザによる吸入動作に対応して陰圧方向へ予め定めた量を超えて低下すれば、検出バルブ２１は開く。典型的には、供給圧力は１〜５バールの間であり、用途に依存する。
【００３５】
出力管路１１のセクション１１ａからは、検出遅延ボリューム３２へ接続される一方向バルブ３１を含む管路３０が分岐する。バルブ３１は、該ボリュームの管路１１ａからの加圧は許容するが、逆方向のフローは許可しない類のものである。該ボリュームは、流量制限器３４を含む通気管路３３により通気される。通気管路は、大気中へ、または他の適切な点、例えば出力管路１１ｂへ通気してもよい。図は、大気への通気を示している。
【００３６】
制限器３４は、ボリューム３２が供給圧力から供給圧力の１０％に達するまで通気されるのに要する時間が、先に述べた予め定めた時間、言い替えれば、出口１２への気体送出パルスの終わりからこれに続く呼気中のある時までの時間、とほぼ同じであるように設定される。
【００３７】
検出遅延ボリューム３２内の圧力レベルは、検出遅延バルブ３５の動作を制御する。検出遅延バルブ３５は、主制御ボリューム１４からの通気管路２２内に接続され、よって該通気管路を、ボリューム１４とバルブ３５との間の第１セクション２２ａと、バルブ３５と検出バルブ２１との間の第２セクション２２ｂとに分割している。バルブ３５は、検出遅延ボリューム３２内の圧力が供給圧力の１０％未満であるという状況に対応して、通常は開放している。該バルブは、検出遅延ボリューム内の圧力が供給圧力の１０％を超えて上昇すると閉じるよう設定される。
【００３８】
次に、図２に示す酸素節約装置の動作について説明する。以下の説明のために、ユーザはシングルチューブカニューレ（図示せず）を介して出口１２へ接続され、ユーザの呼吸は吸入、呼気と続くサイクルのシーケンスで進むものとする。
【００３９】
吸入の開始直前の状況は、以下のように要約できる。
【００４０】
（１）主制御ボリューム１４内の圧力は、先行サイクルの間に管路１５及び制限器１６を介して加圧され、供給圧力となっている。したがって、主制御バルブ２は閉じていて、ユーザに気体は送られていない。
【００４１】
（２）検出遅延ボリューム３２内の圧力は、先行サイクルの間に通気管路３３及び制限器３４を介して通気され、ゼロとなっている。したがって、検出遅延バルブ３５はその通常の開状態にある。
【００４２】
（３）検出ボリューム１８内の圧力はゼロであり、よって検出バルブはその通常の閉状態にある。したがって、主制御ボリューム１４からの通気は防止されている。
【００４３】
ユーザが呼気を終えて吸入を始めると、カニューレを介して出力管路１１ｂへ陰圧が送られる。その結果、以下の動作が起こる。
【００４４】
（１）管路１１ｂ内の陰圧は管路１９を介して検出ボリューム１８へ伝わり、よって、検出バルブ２１が開く。
【００４５】
（２）検出遅延バルブ３５は、管路１１ａ内に一方向バルブ３１を通過していく大きな圧力が存在せず、検出遅延ボリューム３２内の圧力に変化がないことから、開いたままである。
【００４６】
（３）主制御ボリューム１４は、管路２２及びバルブ３５ならびに２１を介して急速に通気し、よって主制御ボリューム内の圧力レベルは急速に下がる。
【００４７】
（４）主制御ボリューム内の圧力が供給圧力の１０％未満まで下がると、主制御バルブ２が開く。これにより、出力管路１１が加圧され、よって、バルブ１７、出口１２、及び取り付けられたカニューレを経て、ユーザに呼吸用気体が供給される。出力管路１１の、管路３０の下流側に可変制限器（流量計測バルブ）１７が配置されることは留意されるであろう。バルブ２の開口部は、この時点で管路１１ａ内の圧力が事実上供給圧力に等しくなるように、バルブ１７の最大設定値より大きいことが必要である。
【００４８】
（５）出力管路１１ａ内の圧力は、管路３０及び一方向バルブ３１を介して検出遅延ボリューム３２へ伝達され、よってボリューム３２を加圧する。ボリューム３２内の圧力が供給圧力の９０％を超えて上昇すると、検出遅延バルブ３５は閉止し、よって、検出バルブ２１の動作を、その時点で閉止している検出遅延バルブ３５が閉じたままの間は遅延バルブ３５の向こう側へ隔離することにより抑止する。主制御ボリュームのさらなる通気は、検出バルブ２１の開閉に関わらず抑止される。実際には、主制御ボリューム１４が完全に通気されるまでは検出バルブ２１が閉じないことを確実にすべく、検出遅延バルブ３５が検出バルブ２１（後述するが、この時点では同じく閉じている）の後で閉じることを保証するように、管路３０内には、ボリューム３２の加圧を遅らせるための別の流量制限器３６が必要とされることもある。
【００４９】
（６）出力管路１１ｂ内の圧力は検出ボリューム１８に伝達され、よって検出バルブ２１を閉じる。先のステップ（５）で述べたように、主制御ボリュームの通気は検出遅延バルブ３５の閉止によって既に防止されていることから、この時点でこれによる影響はない。
【００５０】
（７）主制御ボリューム１４は、該ボリューム内の圧力が入力管路１０内の圧力、すなわち供給圧力より低い場合は常に、管路１５を介して加圧される。しかしながら、該ボリュームの通気の間は、該ボリュームが管路１０を通じて充填されるとしても、制限器１６の存在により、管路１５を介する充填の速度は確実に、管路２２を介する通気速度よりも遙かに遅い。検出遅延バルブ３５の閉止の結果として、この時点で通気が停止されると、管路１５を介する主制御ボリューム１４の加圧が再開される。再加圧の速度は、ユーザにその回の吸入に十分な量の気体を供給するに足る時間にわたって主制御バルブ２の開放が維持されるように、制限器１６により制御される。
【００５１】
（８）主制御ボリューム内の圧力レベルが、管路１５及び制限器１６を介して供給圧力の９０％に達すると、主制御バルブは閉止し、よって、出力管路１１、つまりユーザへの気体の供給は停止される。ユーザへ供給される気体パルスの正確なパルス幅は制限器１６により設定され、かつ状況に依存する。典型的には、パルス幅はおよそ０．５秒である。
【００５２】
（９）主制御バルブ２が閉じると、出力管路１１内の圧力は低下し、かつ、大いに可能性があるがユーザが依然として吸入中であれば、圧力管路１１は再び陰圧になる。
【００５３】
（１０）管路１１内が陰圧になると、一方向バルブ３１を介する検出遅延ボリューム３２へのそれ以上のフローは防止され、該ボリューム内の圧力は、通気管路３３及び制限器３４を介する通気により低下し始める。実際には、ボリューム３２は、その圧力が大気圧より高ければいつも通気しているが、主制御バルブ２が開き、これにより出力管路１１が供給圧力まで加圧されている間は、管路３０及びバルブ３１を介するフローは制限器３４を介する通気を克服できるほどに大きく、よって、前記ボリュームは急速に加圧され得る。ボリューム３２内の圧力は低下しつつあるが、ある程度の時間は、検出遅延バルブ３５の閉止を維持するに足る高さに留まる。
【００５４】
（１１）管路１１内の陰圧は検出ボリューム１８へも伝達され、検出バルブ２１を開放する。しかしながら、先にステップ（１０）において述べたように、検出遅延バルブ３５は閉じたままであることから検出バルブは引き続き隔離され、主制御ボリューム１４の通気を防止していることから、これによる実際的影響はない。したがって、主制御バルブ２の早期開放は防止され、それ以上の気体はユーザへ供給されない。
【００５５】
（１２）これらの構成要素は、検出遅延ボリューム３２内の圧力が供給圧力の１０％未満まで低下して検出遅延バルブ３５が再び開くまで動作のない状態が続く。これが起こるまでに要する時間は制限器３４により定められ、該制限器は、ユーザによる吸入の終了後かつこれに続く呼気の間の一時点においてバルブ３５が開くよう設定される。バルブ３５が開くと、検出バルブ２１は隔離状態ではなくなり、よってユーザによる次の吸入の開始を検出する準備が整う。呼気の間、出力管路１１内の圧力はゼロに近く、あったとしても検出バルブ２１の閉止状態を保つのに役立つ程度の僅かな陽圧、典型的には約５０Ｐａ、であって、バルブ２または３５のいずれにも影響を与えない。
【００５６】
（１３）これで、これらの構成要素は最初に述べた状態になり、次の吸入開始の準備が整う。
【００５７】
要するに、ユーザへの気体パルスの送出終了の後、かつユーザがまだ吸入している間、検出遅延バルブ３５は閉じたままであって検出バルブ２１による主制御ボリューム１４の通気を防止し、延いては吸入中に主制御バルブ２が再度開くことを防止することが理解されるであろう。したがって、本装置の動作は先に論じた理論上の理想に近づき、吸入開始時に気体パルスの１パルスのみをユーザへ供給し、それ以上は次の吸入まで供給しない。
【００５８】
次に、図２を参照して説明した方法で動作する本発明の一実施形態をさらに詳しく示す図３を参照する。明確を期して、かつ説明を簡単にするために、対応する部分には図２と同じ参照番号を付している。図３におけるＭＣＶという文字は「主制御バルブ」（ｍａｉｎ  ｃｏｎｔｒｏｌ  ｖａｌｖｅ）を表し、対応する角括弧は、主制御バルブの個々の構成要素及び主制御ボリュームを囲んでいる。検出遅延バルブＳＤＶ（ｓｅｎｓｉｎｇ  ｄｅｌａｙ  ｖａｌｖｅ）及び検出バルブＳＶ（ｓｅｎｓｉｎｇ  ｖａｌｖｅ）についても同様である。
【００５９】
説明の方法は異なるものの、図１及び２に関する先の詳細な説明により、図３の詳細な説明が確認される。主な追加点は、図２の装置の実際的な実施形態を説明するために、バルブがより詳細に示されている点である。
【００６０】
流量計測バルブ１７は、既知の技術であることから標準記号で表されている。例えば、該バルブは、固定オリフィスの選択可能な範囲、またはユーザがパルスの間に送られるフローを調整するための手段を有するニードルバルブを、好適には設定を表示するための手段と共に備える場合もある。流量は、典型的には、０．１〜２０Ｌ／分までの範囲に調節されてもよいが、用途次第でこれより少なくても多くてもよい。
【００６１】
主制御バルブ２は主制御ダイアフラム４０を備え、該ダイアフラムは、主制御バルブジェット４１に対してばね４２またはゴム（図示せず）のいずれかにより偏倚されるエラストマー材料製のディスクを備え、該ディスクは、図示の方向で外径がジェット４１の頂部より低く位置づけられ、ゴムの応力はダイアフラム４０の中心をジェット４１へと押し付ける。ダイアフラムは、該ダイアフラムにより上部チャンバすなわち主制御ボリューム１４と下部チャンバ４３とに分割される円筒内を移動する。ダイアフラム４０の外径は、該ダイアフラムがその内部に位置する円筒の内壁をシールする。ダイアフラム４０が、１つまたは複数のＯリングを有するピストン等の様々な同等手段によって置換され得ることは理解されるであろう。
【００６２】
ダイアフラム４０及びばね４２の正確な厚さ及び形状は、これらのパーツの作用力及び剛性が、ジェット４１のシーリング領域に作用する供給圧力を克服しかつダイアフラム４０をジェット４１に対してシールさせるためには主制御ボリューム１４内の圧力が供給圧力の１０％を超える程度で足りる類のものとなるよう調整される。
【００６３】
既に言及したように、制限器１６は、主制御ボリューム１４を供給圧力の１０％から９０％まで加圧するために要する時間が、吸入の開始時にユーザへ送出される気体パルスの持続時間として必要な時間に一致するような寸法である。この持続時間は、典型的には０．５秒である。
【００６４】
検出遅延バルブ３５も類似の構造であり、ばね４６またはゴムのいずれかにより検出遅延バルブジェット４５から離れて偏倚される遅延検出ダイアフラム４４を備え、該ダイアフラムは、図示の方向でその外側がジェット４５の頂部より低く位置づけられる。
【００６５】
該ダイアフラムは円筒内を移動し、これにより上部チャンバ４７と、下部チャンバすなわち検出遅延ボリューム３２とを定義する。ダイアフラム４４の外径は、該ダイアフラムがその内部に位置する円筒の内壁をシールする。先と同様に、このダイアフラムも、１つまたは複数のＯリングを有するピストン等の様々な他の手段によって置換され得る。
【００６６】
ダイアフラム４４及びばね４６の正確な厚さ及び形状は、検出遅延制御ボリューム４２内の圧力が供給圧力の１０％を超え、かつジェット４５の周囲圧力が大気圧に近い場合に、ダイアフラム４４がジェット４５に押し付けられ、よってこれを通るフローが防止されるよう調整される。
【００６７】
主制御バルブ２が開放している間、開いた主制御バルブのオリフィスは流量計測バルブ１７と比べて大きいことから、管路３０内は供給圧力となる。したがって、遅延検出制御ボリューム３２は、流路３０及び比較的制限の弱い一方向バルブ３１を通って優先的に充填される。
【００６８】
既に言及したように、検出遅延制御ボリューム３２は、制御ボリューム３２を供給圧力から供給圧力の１０％となるまで通気する時間が、ユーザによる吸入の終了後かつ次の吸入の開始前に終わる長さであるように設定される制限器３４を介して通気される。検出遅延制御ボリューム３２の通気する先は、図示したように大気の場合もあれば、管路３０または出力管路１１の場合もある。
【００６９】
検出バルブ２１は、チャンバを横断してシールする非常に軽いダイアフラム４８を備える。ダイアフラム４８は、効果的には、比較的硬い中心部分４９と、中心部分４９がその表面に対して垂直方向に自由に移動できるようになった外側周囲の弾性部分５０とを有する。ダイアフラム４８は、チャンバを、上部ボリュームすなわち検出ボリューム１８と、通気管路２２ｃを介して大気へ通気される下部ボリューム５１とに分割する。
【００７０】
前記ダイアフラムは、狭い内腔５３内を垂直に移動可能でありかつ下端に検出バルブジェット５４を支えるシールを有するバルブ部材５２に作用する。ジェットをシールする他の方法は、当業者には明白であろう。
【００７１】
ダイアフラム４８は、ばね５５またはその同等物によってジェット５４の方向へ偏倚される。ばねは、バルブステム５２を、ジェット５４の領域全体に作用する供給圧力の力を克服するに足る力でジェット５４に対して偏倚するためのものである。ダイアフラム４８を通じて存在する圧力差が少ないか、またはゼロであれば、ばね５５はバルブステム５２をジェットに対して押し付けるように作用し、よってシールが生み出され、通気管路２２ｃから大気へのフローが防止される。しかしながら、ユーザ側の圧力が大気圧に比べてばね５５及び／またはダイアフラム４８の剛性を克服するに足るだけ陰圧であるといった圧力差があれば、ダイアフラム４８は上方へ移動し、よってシーリング部材は管路２２ｂ内の圧力によりジェットから離れ、シールが破れ、管路２２ｂ内の気体は管路２２ｃを介して大気へと通気される。これは「クラッキング圧」と呼ばれ、酸素療法の用途においては、約１０〜２０Ｐａであると思われる。
【００７２】
検出バルブ２１の動作にかかわる圧力が小さいことは、そのダイアフラム４８が比較的軽量でなければならないことを意味している。さらに、ジェット５４は小さいものでなければならず、バルブステム５２は、比較的小さい力でジェットをシールしなければならない。
【００７３】
本装置の動作中、主制御バルブ２がユーザへ気体パルスを供給するために開放している場合、治療フローに対するカニューレの抵抗によって出力管路１１内に高圧が生じる。この高圧がダイアフラム４８に直接かかるため、ダイアフラム４８は、この圧力により加わる力に耐えるように構築及び／または取り付けされなければならない。この圧力により、例えば、中心部分４９が壊れることもある。
【００７４】
別の構造（図示せず）では、検出ジェットは、該ジェットをシールするための弾性ディスクを有するダイアフラムの直下に配置されてもよい。しかしながら、このような構造には、ダイアフラムがジェットに対して垂直に移動しない結果として、漏れによる既知の問題点がある。図示した構造に見られるような有限長の係合により、シーリング部材はその形態によらずジェットに対して垂直になる可能性が高まり、よってシールを成立させるために要する力は低減される。
【００７５】
既に明らかにしたように、本発明及びその関連設計の目的の１つは、酸素の無駄を回避することにある。チャンバ及び通路の寸法を慎重に決定することは、この無駄を最小限に抑える上で役立つ。例えば、主制御ボリューム１４、通気管路２２、及びチャンバ４７は、一体となって各呼吸の間に大気へ通気されるため、これら要素の寸法が小さいほど無駄は少なくなる。同様に、検出遅延制御ボリューム３２も呼吸毎に通気され、先に述べたように、該ボリュームからユーザ管路への流入もあるが、いずれにしてもフローが無駄になる時間に通気が行われる。したがって、繰り返すが、このボリュームは、小さく製造できるほどよい。
【００７６】
設計上考慮すべき別の事項は、検出遅延ジェット４５の下流側ボリューム、すなわち通気管路２２ｂ及びボリューム４７が、ジェットの上流側、すなわち通気管路２２ａ及びボリューム１４と比べて小さくなければならないことである。その理由は、下流側のボリュームが空であり、検出遅延バルブが開く、という条件の存在にある。この段階では、ボリューム１４と３２の等化により引き起こされる主制御ボリューム１４内の圧力低下が、主制御バルブ２を開放してフローを開始させるほどのものでないことが重要である。
【００７７】
設計上のさらなる考慮事項は、主制御ボリューム１４、通気管路２１ａ及び２１ｂ、及びチャンバ４７の組合せからの圧力が、バルブステム５２がジェット５４から離れるとともにほぼ瞬間的に通気され得るよう、検出ジェット５４の開口面積が主制御ボリュームへの供給源である制限器１６と比べて大きくなければならないことである。
【００７８】
理解を容易にするために、図３のバルブ動作の主要な段階を添付の表に示す。これには、吸入／呼気サイクルの各段階における圧力及びバルブ状態についても記載する。左側の欄内の数字は、動作の進行段階を表すものであって、特に重要な意味はない。記載のパーセントは、供給圧力に対する比率を示す。
【表１】
2008531164.tif 000003
【００７９】
次に、本発明の第２の実施形態を示す図４を参照する。
【００８０】
図４の実施形態と図２の実施形態との唯一の相違点は、通常は開放している検出遅延バルブ３５が、通気管路２２ではなく、出力管路１１ｂを検出ボリューム１８へ接続する管路１９内に配置されることにある。したがって、検出バルブ２１の動作は、図２の実施形態の場合のように主制御ボリューム１４の通気管路２２ａから前記バルブを隔絶することによって抑止されるのではなく、出力管路１１ｂからの入力を遮断することによって抑止される。管路１９内の圧力をボリューム１８へ伝達することができるのは、バルブ３５が開放しているときのみである。バルブ３５が閉じると、検出ボリューム１８は隔絶状態になり、バルブ３５が閉じた時点での圧力を単に保つのみであり、漏出は免れない。
【００８１】
図４に示す装置の動作は、図２に関する先の説明からほぼ明らかとなるものであり、よって相違点のみを明らかにする。
【００８２】
各吸入の直前にバルブ３５が開き、出力管路１１ｂ内の圧力低下が、管路１９、バルブ３５、及び検出ボリューム１８を介し、通常の方法で検出バルブにより検出される。ユーザへの気体パルスの送出開始によって出力管路１１内の圧力が上昇し供給圧力に達するまで、実質的に先の説明通りに動作が続けられる。その結果、管路３０及び一方向バルブ３１を介して検出遅延ボリューム３２内の圧力が上昇し、供給圧力の９０％に達した時点で検出遅延バルブ３５が閉じ、こうして検出ボリューム１８が出力管路１１ｂから隔絶される。
【００８３】
ユーザへの気体パルスの送出が終わると、出力管路１１ａ内の圧力は先と同様に低下し、これにより、管路３３及び制限器３４を介する検出遅延ボリュームの通気プロセスが開始される。結果として、これに続く呼気の間に圧力はバルブ３５を再び開かせるに足る程度まで低下し、検出ボリューム１８が出力管路１１ｂに「再接続」される。一方で、具体的には残りの吸入の間、検出ボリューム１８は閉止したバルブ３５によって隔絶された状態に留まり、したがって、検出バルブ２１は閉じたままであって、主制御ボリューム１４の通気は防止される。
【００８４】
図５は図３に類似したものであり、図４の装置の実際的な実施形態をより詳細に示す。図５の実施形態の構造及び動作は、先の説明から十分に理解されるであろう。次の表は、図５の装置の動作シーケンスをまとめたものであり、各段階における圧力及びバルブの状態を記載している。先と同様、記載のパーセントは、供給圧力に対する比率を示す。
【表２】
2008531164.tif 000004
【００８５】
次に、本発明の第２の実施形態を示す図６を参照する。図６の実施形態と先の両実施形態との相違点は、検出遅延ボリューム３２が、その固有の検出遅延バルブではなく検出バルブ２１を制御すべく作用することにある。これは制御管路３７で表される。検出遅延バルブ２１の動作は、２つのボリューム、すなわち検出ボリューム１８及び検出遅延ボリューム３２内の圧力レベルの制御下にある。図６では、様々な制御ボリュームの排気及び充填ならびにバルブの動作は先に述べたものと本質的に同じであり、よって相違点のみを論じる。
【００８６】
検出バルブ２１は、先に述べた方法で、検出ボリューム１８内の圧力により、制御管路２０を介して制御される。制御管路３７による制御はこれに優先し、検出遅延ボリューム内の圧力が供給圧力の１０％を超えると前記バルブの動作を抑止するように作用する。したがって、出力管路１１ａがユーザへ供給される気体パルスの開始時に圧力を供給すべく加圧された状態になると、検出遅延ボリュームは管路３０及び一方向バルブ３１を介して加圧される。検出遅延ボリューム３２の圧力が供給圧力の１０％を超えた状態になると、制御管路３７を介して検出バルブ２１の動作が抑止され、この状態が、先に述べたようにして、予め定めた時間が終わるまで、これに続く呼気の間も続く。したがって、先の場合と同様に、バルブ２１は閉じたままであり、こうして主制御ボリューム１４の通気管路２２を介する通気が防止される。
【００８７】
制御管路３７で示す制御をかける方法は様々であり、次に、より詳細な空気圧回路図である図７及び図８を参照し、そのうち２つについて説明する。
【００８８】
まず、図７を参照すると、遅延検出ダイアフラム４４がピストン６０に置き換えられ、該ピストンには円筒の外部で検出バルブの検出ボリューム１８内へ延設されるシャフト６１が取り付けられているという主たる相違点を除き、図３に類似していることが分かるであろう。実際には、ピストン６０はダイアフラム４４に多少類似したダイアフラムによって構成されることが理解されるであろう。
【００８９】
ピストン６０は、シャフト６１の下端が検出ダイアフラム４８から離れていて、その正常な動作を妨げないような方法で、ばね４６により偏倚される。しかしながら、検出遅延ボリューム３２内の圧力に応じて、ピストン６０及びシャフト６１は下方へ移動し、シャフト６１の下端がダイアフラム４８に係合して、患者による吸入の結果としての出力管路１１ｂ内の陰圧に応じた該ダイアフラムの上方移動を防止する。したがって、検出バルブのジェット５４は閉じたままとなり、主ボリューム１４の通気が防止される。
【００９０】
この状況は、検出遅延ボリューム３２が通気管路３３及び制限器３４を介して通気され、ボリューム３２内の圧力が供給圧力の１０％未満になるまで続く。この時点で、シャフト６１の下端は、検出ダイアフラム４８が正常に動作できる位置まで上昇している。
【００９１】
次に、図８を参照すると、これは、ピストン６０のシャフト６１がバルブステム５２に作用することを除けば、図７と極めてよく似ていることが分かるであろう。
【００９２】
シャフト６１の端は、図示された位置ではバルブステム５２から離れ、よって、検出バルブは正常に動作する。この状態では、ユーザの吸入に起因してダイアフラム４８が持ち上がり、通気管路２２ａ内の圧力によってバルブステム５２が上昇する。したがって、通気管路２２ａ内の気体はバルブステム側面の周囲からチャンバ５１へ逃げ、通気管路２２ｃを介して大気へ通気される。しかしながら、検出遅延ボリューム３２内の圧力が供給圧力の１０％を超えて上昇すれば、ピストン６０及びシャフト６１は右方向へ移動し、シャフト６１の右端をバルブステム５２に係合させてその移動を防止する。これにより、バルブステム５２はジェット５４をシールする位置にロックされ、よって、主制御ボリューム１４の通気管路２２ａを介する通気が防止される。この状況は、検出遅延ボリューム３２内の圧力が供給圧力の１０％を超えたままである限り続き、よって、この間の検出バルブの動作は効果的に抑止される。
【００９３】
図７及び図８の各実施形態の動作は本質的に極めて類似しており、個々の動作シーケンスならびに各段階における圧力及びバルブの状態を記した次の表にまとめることができる。先と同様に、記載のパーセントは、供給圧力に対する比率を示す。次表において、ピストン６０が上と記載されている場合、これは、シャフト６１が検出バルブ（ＳＶ）の動作に影響しない位置にあることを意味し、ピストン６０が下と記載されていれば、これは、シャフト６１が検出バルブの動作を妨げる位置にあることを意味する。
【表３】
2008531164.tif 000005
【図面の簡単な説明】
【００９４】
【図１】代表的な既知の酸素節約装置を示すブロック図である。
【図２】本発明による酸素節約装置の第１の実施形態を示すブロック図である。
【図３】図２の実施形態を実施する一方法を示す、より詳細な空気圧回路図である。
【図４】本発明による酸素節約装置の第２の実施形態を示すブロック図である。
【図５】図４の実施形態を実施する一方法を示す、より詳細な空気圧回路図である。
【図６】本発明による酸素節約装置の第３の実施形態を示すブロック図である。
【図７】図６の実施形態を実施する一方法を示す、より詳細な空気圧回路図である。
【図８】図６の実施形態を実施する別の方法を示す、より詳細な空気圧回路図である。
【図１】
2008531164.tif 000006
【図２】
2008531164.tif 000007
【図３】
2008531164.tif 000008
【図４】
2008531164.tif 000009
【図５】
2008531164.tif 000010
【図６】
2008531164.tif 000011
【図７】
2008531164.tif 000012
【図８】
2008531164.tif 000013
【国際調査報告】
2008531164.tif 000014
2008531164.tif 000015